Podtech/llm-jp-corpus-v4-ja_patent huggingface dataset:
(57)【要約】【課題】従来車検整備または修理の際、ブレーキ周りの分解整備に、ブレーキローター、ドラムその他に付着しているダストを除去する方法として、圧縮エアーでそのまま吹き飛ばす、もしくはエアゾール式の石油系洗浄剤を噴射し洗浄する方法が大半であるが、作業者本人および周囲の作業者等への健康被害、大気汚染が懸念される。【解決手段】リフトアップされた車両のダスト発生箇所の直下へ簡単に設置できる、移動式の集塵装置を提供する。【選択図】図２
2008229601.tif 000002
【特許請求の範囲】
【請求項１】
吸気口を上面に、排気口を下面に配置し、ダストを捕捉するフィルター及び動力式の軸流ファンを胴内に備え、床面に鉛直に清浄な空気を排出する構造を持った移動可能な集塵装置。
【発明の詳細な説明】
【技術分野】
【０００１】  本発明は、自動車整備時に発生する粉塵等の大気中への拡散の防止及び作業者の健康被害を防止する事を目的とした装置である。
【背景技術】
【０００２】  従来車検整備または修理の際、ブレーキ周りの分解整備に、ブレーキローター、ドラムその他に付着している多量のダストを除去する方法として、圧縮エアーでそのまま吹き飛ばす、もしくはエアゾール式の石油系洗浄剤を噴射し洗浄する方法が大半であるが、作業者本人および周囲の作業者等が、ダストまたは揮発した洗浄剤を吸引する事による健康被害、大気汚染が懸念される。
【発明の開示】
【発明が解決しようとする課題】
【０００３】  発生するダストを吸引捕捉する事で、作業者がダストまたは揮発した洗浄剤を吸引する事により懸念される健康被害、および大気中への拡散を防止する事を目的とする。
【課題を解決するための手段】
【０００４】  上記課題を解決するために、本発明の移動式集塵装置は、リフトアップされた車両のダスト発生箇所の直下へ移動配置し使用する装置である。一般的に車両のブレーキは下方のみが開放された、ホイールハウス内に配置されている為、ダストを含んだ空気の大半は下方に排出される。エアーブローまたはブラシ等で除去されたダストを、胴体内に取り付けられた軸流ファンで発生する吸引力で上面から吸い込み、フィルターを通過させ、ダストを除去した清浄な空気を床面に鉛直に排出する。吸引力は吸気口に近いほど風速が速い為少ないエネルギーで、効率的に吸引できる。また排気を直接床面に排気する事で、ダクト等を設置する必要が無く、床面に排気された空気は床面に沿って放射上に拡がって行く為、吸気の妨げとならないばかりか、壁等で閉塞された空間では、吸気口に還流する対流が形成され、さらに効果を増幅させる。
【発明の効果】
【０００５】  本発明は車両整備の目的の為に、大掛りな全体換気設備は多額な費用が必要な為困難であるが、本装置は少ない費用で導入可能であり、効率的にダストの拡散を防止することができる。
【発明を実施するための最良の形態】
【０００６】  この発明の一実施形態を、図１に示す。
上部と下部が開放構造である筒型の胴体１の内部に、フィルター２及び軸流ファン３を配置した構造であり。吸気口４よりダストを含んだ空気を吸い込み、フィルター２でダストを捕捉後、軸流ファン３を通過した清浄な空気は、排気口５より床面に鉛直に吹き出し、胴体１と床面との空間より床面に沿って放射状に放出される。さらにキャスターで支持し容易に移動できる構造とする。
【図面の簡単な説明】
【０００７】
【図１】本発明の装置の形態を示す断面図である。
【図２】実際の使用時の形態の説明図である。
【符号の説明】
【０００８】１  胴体
２  フィルター
３  軸流ファン
４  吸気口
５  排気口
６  移動フレーム
７  キャスター
Ａ  車両
Ｂ  リフト
Ｃ  本装置
Ｄ  吸気の流れ
Ｅ  排気の流れ
Ｆ  壁が有る場合の空気の流れ
【図１】
2008229601.tif 000003
【図２】
2008229601.tif 000004
(57)【要約】【課題】果物の実の分割と、種の切り離しがスムースに行える果物調理具を提供する。【解決手段】  板状の第一カット部（１）とスプーン状の第二カット部（２）を直列に一体に連結してなる果物調理具であって、前記第一カット部（１）は、内側に湾曲した切り刃（１ａ）を有しており、前記第二カット部（２）は鋸歯状の刃（２ａ）を有していることを特徴とする果物調理具。【選択図】図１
2008229196.tif 000002
【特許請求の範囲】
【請求項１】
板状の第一カット部とスプーン状の第二カット部を直列に一体に連結してなる果物調理具であって、前記第一カット部は内側に湾曲した切り刃を有していることを特徴とする果物調理具。
【発明の詳細な説明】
【技術分野】
【０００１】
本発明は、果物調理具に関するものである。
【背景技術】
【０００２】
従来の果物調理具としては、図４に示すように、柄（１１）に湾曲した幅の狭い板状のカット部（１２）を設けたものがある。このカット部（１２）の両縁には鋸歯状の刃（１２ａ）が設けられている。以下、従来例１という（特許文献１参照）。
他の調理具としては、図５に示すように、内側に湾曲した刃（２２ａ）を有するカット部（２２）に柄（２１）をつけたものがある。以下、従来例２という（特許文献２参照）。
【０００３】
【特許文献１】特開２００５−２３０５１６号公報
【特許文献２】特願２００６−１３５７５５
【発明の開示】
【発明が解決しようとする課題】
【０００４】
しかし、従来例１の調理具は、カット部が湾曲した幅の狭い板状になっているので、果物の実を分割しにくい。また、実から種を切り離す場合、種の周辺を回しながら切っていかなければならない。
また、従来例２の調理具は果物の実の分割はできるが、種の切り離しはしにくい。
【課題を解決するための手段】
【０００５】
本発明が上記課題を解決するために提供する果物調理具は、板状の第一カット部とスプーン状の第二カット部を直列に一体に連結してなる果物調理具であって、前記カット部は、内側に湾曲した切り刃を有していることを特徴とするものである。
【発明の効果】
【０００６】
本発明の果物調理具によれば、板状の第一カット部とスプーン状の第二カット部を使い
分けることで、果物の実の分割と種の切り離しが出来る。すなわち、第一カット部は切り
刃を実に差し込んだ後、回すだけで実を分割できる。また、第二カット部は種に沿って差
し込むだけで、種を実から切り離すことができる。        
【発明を実施するための最良の形態】
【０００７】
以下、本発明の実施の形態を実施例によって、図１〜３を参照しながら説明する。この調理具は、板状の第一カット部（１）とスプーン状の第二カット部（２）を直列に一体に連結してなる果物調理具であって、前記第一カット部（１）は内側に湾曲した切り刃（１ａ）を有しており、前記第二カット部（２）は鋸歯状の刃（２ａ）を有していることを特徴とするものである。
この実施例の果物調理具はステンレス製である。
【０００８】
本実施例の果物調理具は以上の構成となっているので、例えば桃を分割する場合を例にとれば、次の要領で使用する。
まず、桃（３）の実を分割する場合は、図２のように第一カット部（１）の切り刃（１ａ）を桃（３）の実の中央から差し込み、湾曲した切り刃（１ａ）を種（４）の周りに沿って回動させる。
【０００９】
次いで、種（４）を桃（３）の実から切り離す場合は、図３のように第二カット部（２）を桃（３）の実の枝の部分から、種（４）の側面に沿って右側または左側から差し込み、次に、引き抜いて左側または右側から差し込む。
このように、本実施例の果物調理具によれば、果物の実の分割と種の切り離しが一つの道具でスムースに行うことが出来る。
【図面の簡単な説明】
【００１０】
【図１】実施例の果物調理具の斜視図
【図２】実施例の果物調理具の使用状態を示す側面図
【図３】実施例の果物調理具の使用状態を示す側面図
【図４】従来の調理道具の斜視図
【図５】従来の調理道具の側面図
【符号の説明】
【００１１】
１      板状第一カット部
２      スプーン状第二カット部
１ａ    切り刃
２ａ    鋸歯状の刃
３      桃
４      種
１１    柄
１２    カット部    
１２ａ  鋸歯状の刃
２１    柄
２２    カット部
２２ａ  内側に湾曲した刃
【図１】
2008229196.tif 000003
【図２】
2008229196.tif 000004
【図３】
2008229196.tif 000005
【図４】
2008229196.tif 000006
【図５】
2008229196.tif 000007
(57)【要約】【課題】付け爪の先端部を連弧形状、斜連弧形状、波形状等のデザインを成形する作業を必要としない付け爪を提供する。【解決手段】人の手や足の爪に装着するための付け爪であって、予め付け爪本体（１）の先端部に連弧形状（２）、斜連弧形状（３）、波形状（４）等のデザインが施されていることを特徴とする付け爪。【選択図】図１
2008229282.tif 000002
【特許請求の範囲】
【請求項１】
人の手や足の爪に装着するための付け爪であって、付け爪本体の先端部に予め連弧形状、斜連弧形状、波形状等のデザインが施されていることを特徴とする付け爪。
【発明の詳細な説明】
【技術分野】
【０００１】本発明は、人の手や足の爪に装着するための付け爪に関するものである。
【背景技術】
【０００２】従来より、付け爪の先端部は、丸く成形されたラウンドカットや四角く成形されたスクエアカットが主流である。また、付け爪の先端部を前記の形状にカットすることができる専用のニッパーが存在すると共に、予め付け爪の先端部に前記の形状が施された付け爪も存在する。（特許文献１参照）。【０００３】
【特許文献１】特開２００５−８１１１８号公報
【発明の開示】
【発明が解決しようとする課題】
【０００４】しかし、付け爪の先端部を上記以外のデザインに成形するためには、ニッパーやヤスリ等さまざまな道具が必要であり、作業も細かく非常に困難であった。また、市販されている円弧状のデザインにカットできる鋏を使用することもできるが、付け爪専用の鋏ではないため、円弧状のデザインのカット部が大振りになり美観を損ねてしまう上、付け爪をカットする際に付け爪に亀裂が生じたり割れてしまったりと危険であった。【０００５】本発明は、以上の問題点を解決するためになされたもので、使用者に作業負担をかけず、安全なおかつ容易に使用することができる付け爪を提供することを目的とする。
【課題を解決するための手段】
【０００６】人の手や足の爪に装着するための付け爪の先端部に予め連弧形状、斜連弧形状、波形状等のデザインを施した付け爪である。
【発明の効果】
【０００７】本発明の付け爪を使用することにより、従来のような道具の必要が殆どなく、また、付け爪の先端部にデザインが施されていることにより、装飾のバリエーションに富み、外観が華やかになる上、ファッション性も高まる。【０００８】本発明は上記構成により、使用者は、従来のような細かい作業による負担や手間を省くことができ、容易に指先のお洒落を楽しむことができる。
【発明を実施するための最良の形態】
【０００９】以下、本発明の実施の形態を図面に基づいて説明する。【００１０】図１は付け爪本体（１）の先端部に連弧形状（２）のデザインを施した正面図、図２は付け爪本体（１）の先端部に斜連弧形状（３）のデザインを施した正面図、図３は付け爪本体（１）の先端部に波形状（４）のデザインを施した正面図である。【００１１】図１、図２、図３に示す付け爪本体（１）は、主に合成樹脂からなるが、付け爪の先端部に連弧形状（２）、斜連弧形状（３）、波形状（４）等のデザインを施すことが可能な材質であれば前記以外の材質でもよく、特に材質は限定するものではない。また、上記の形状について説明すると、連弧形状とは、円弧を連続的につないだ形状である。斜連弧形状とは、前記連弧形状を直線的にではなく曲線的につないだ形状である。波形状とは、円弧を接線連続あるいは曲率連続のように滑らかにつないだ形状である。また、前記の形状以外にも動植物、星、ハート等の形状でもよい。【００１２】図４において、本発明の図１の連弧形状の付け爪（５）を人の人差し指（６）の爪（７）に装着する様子を示す正面図であるが、人の爪は湾曲しているため、本発明の付け爪本体（１）も人の爪状に湾曲がなされている。また図５は、本発明の付け爪（５）の表面にネイルアート（８）を施した状態を示す正面図であるが、本発明の付け爪本体（１）の表面にマニキュアやネイルアートで着色し、ビーズやラインストーン等の装飾品を施すことにより装飾効果が一層高まる。【００１３】本発明は以上のような構成で、これを使用するときは、付け爪本体（１）の裏側に付け爪専用の接着剤ないし接着テープ等を用いて人の手や足の爪に装着する。
【図面の簡単な説明】
【００１４】
【図１】本発明の正面図である。
【図２】本発明の正面図である。
【図３】本発明の正面図である。
【図４】本発明の正面図である。
【図５】本発明の正面図である。
【符号の説明】
【００１５】１  付け爪本体
２  連弧形状
３  斜連弧形状
４  波形状
５  連弧形状の付け爪
６  人差し指
７  爪
８  ネイルアート
【図１】
2008229282.tif 000003
【図２】
2008229282.tif 000004
【図３】
2008229282.tif 000005
【図４】
2008229282.tif 000006
【図５】
2008229282.tif 000007
(57)【要約】      （修正有）【課題】腰痛、肩こり、首筋、等の筋肉の痛みやコリを自分で緩和する。【解決手段】本器１に回転自在式の球頭（キャスター）２を取り付けたものである。腰痛、肩こり、首筋、等の筋肉痛、コリを緩和するために、本器の回転自在式球頭（キャスター）の上に仰向けに寝て、体重をかけるだけで、数個の球頭が、あんま、指圧、の動きを代用し、寝ながらにして脊椎両側のツボを自分で押圧できるようにしたものである。【選択図】図１
2008229284.tif 000002
【特許請求の範囲】
【請求項１】
本器に回転自在式の球頭（キャスター）を取り付けて、本器の上に仰向けに寝て、体重をかけるだけで、数個の球頭が、あんま、指圧、の動きを代用し、寝ながらにして脊椎両側のツボ、肩のツボ、首筋のツボ、を自分で押圧して、筋肉のコリや疲れを緩和できるものである。
【発明の詳細な説明】
【技術分野】
【０００１】本発明は、腰痛、肩こり等の筋肉痛やコリを緩和するあんま器に関する。
【背景技術】
【０００２】従来、腰痛、肩こり、首筋の筋肉を緩和する場合には、マッサージ機やマッサージ師、指圧師、整体師など、機械や他人の手を借りて、筋肉痛やコリを緩和している。
【発明の開示】
【発明が解決しようとする課題】
【０００３】腰痛、肩こり、首筋、等の筋肉痛、コリを自分で緩和する。
【課題を解決するための手段】
【０００４】本発明は、腰痛、肩こり、首筋、等の筋肉痛、コリを緩和するために、本器の回転自在式球頭（キャスター）の上に仰向けに寝て、体重をかけるだけで、数個の球頭が、あんま、指圧、の動きを代用し、寝ながらにして脊椎両側のツボを自分で押圧できるようにしたものである。
【発明の効果】
【０００５】本発明は、本器の回転自在式球頭（キャスター）の上に仰向けに寝て、体重をかけるだけで、数個の球頭が、あんま、指圧、の動きを代用し、寝ながらにして脊椎両側のツボを自分で押圧して、筋肉のコリや疲れを緩和できるものである。
【発明を実施するための最良の形態】
【０００６】本発明は本器に回転自在式の球頭（キャスター）を取り付けて、本器の上に仰向けに寝て、体重をかけるだけで、数個の球頭が、あんま、指圧、の動きを代用し、寝ながらにして脊椎両側のツボ、肩のツボ、首筋のツボ、を自分で押圧して、筋肉のコリや疲れを緩和できるものである。
【実施例】
【図面の簡単な説明】
【０００７】
【図１】本発明の断面図
【図２】同正面図
【図３】同傾斜図
【符号の説明】
【０００８】１    本体
２    回転自在の球頭（キャスター）
３    キャスターのボールベアリング
【図１】
2008229284.tif 000003
【図２】
2008229284.tif 000004
【図３】
2008229284.tif 000005
(57)【要約】【課題】  薬剤を塗った患部を被うように、又は、薬剤を注入して患部に貼ることを目的とした、皮膚炎・創傷治療用絆創膏を提供する。【解決手段】  絆創膏中央部に薬剤が入るための凹状のくぼみを設けたことを特徴とする皮膚炎・創傷治療用絆創膏。【選択図】図１
2008229289.tif 000002
【特許請求の範囲】
【請求項１】
絆創膏中央部に薬剤が入るための凹状のくぼみを設けたことを特徴とする皮膚炎・創傷治療用絆創膏。
【発明の詳細な説明】
【技術分野】
【０００１】  本発明は、患部と患部に塗られた薬剤全体を被うように貼る、又は、薬剤を絆創膏凹部に注入して患部に貼ることを目的とした、皮膚炎・創傷治療用絆創膏に関するものである。
【背景技術】
【０００２】  従来、にきび虫刺されなどの皮膚炎や、創傷の治療に塗り薬を患部に塗っていた。
【発明の開示】
【発明が解決しようとする課題】
【０００３】  そのために、次のような問題点があった。
（イ）患部に塗った薬剤に衣服などが接触すると、薬が拡がってしまい薬効を弱めたり衣服などを汚してしまうことがあった。
（ロ）患部が露出しているために、かきむしったりして症状を悪化させたり雑菌が患部に侵入する危険があった。
本発明は、これらの問題点を解決するためになされたものである。
【課題を解決するための手段】
【０００４】  絆創膏中央部に薬剤が入るための凹状のくぼみを設ける。以上を特徴とする皮膚炎・創傷治療用絆創膏である。
【発明の効果】
【０００５】  絆創膏のくぼみが患部と患部に塗られた薬剤全体を被うように、又は、絆創膏のくぼみに薬剤を注入しその薬剤が患部全体を被うように貼り付けて密封するので高い治療効果が期待でき、薬剤が衣服などに付着することがなく、雑菌の侵入も防ぐことができる。従来の軟膏やジェル状などの、状況に応じた薬剤を選択して使用するので色々な皮膚疾患、創傷の治療がおこなえ、且つ症状に応じて薬剤の量を自由に調整できる。
【発明を実施するための最良の形態】
【０００６】  絆創膏中央部に薬剤が入るための凹状のくぼみを設ける。
【実施例１】  患部に薬剤を塗り、絆創膏に設けたくぼみが患部と患部に塗られた薬剤全体を被うように貼り付ける。
【実施例２】  絆創膏のくぼみに薬剤を注入しその薬剤が患部全体を被うように貼り付ける。
【図面の簡単な説明】
【０００７】
【図１】本発明の斜視図
【図２】本発明の薬剤を注入した状態を示す断面図
【図３】本発明の使用状態を示す断面図
【符号の説明】
【００８】  １  絆創膏
２  薬剤
３  患部
【図１】
2008229289.tif 000003
【図２】
2008229289.tif 000004
【図３】
2008229289.tif 000005
(57)【要約】【課題】片手の不自由な方でも容易に洗う事の出来る、食器の固定保持具を提供する。【解決手段】（イ）  食器をロ−ラ−の付いた保持部材にのせ、ア−ムに設けた押さえ軸で食器を押さえて固定する。食器の種類によって生ずる押さえる位置の様々な変化に対応し、任意の位置で押さえ軸を固定する事が出来る。其の事を特長とした食器を容易に洗うための固定保持具。（ロ）  コ−ヒ−カップ、ガラスコップ等の筒状態容器は、基台の上に設けた支柱３箇所に、滑り止めを施したばね状の金具を設け容器の外周部を押さえて保持する、其の事を特長とした食器を容易に洗うための固定保持具。【選択図】図５
2008229287.tif 000002
【特許請求の範囲】
【請求項１】
食器をロ−ラ−の付いた保持部材にのせ、ア−ムに設けた押さえ軸で食器を押さえて固定する、食器の種類によって生ずる押さえる位置の様々な変化に対応し、任意の位置で押さえ軸を固定する事が出来る、其の事を特長とした食器を容易に洗うための固定保持具。
【請求項２】
コ−ヒ−カップ、ガラスコップ等の筒状態容器は、基台の上に設けた支柱３箇所に、滑り止めを施したばね状の金具を設け、容器の外周部を押さえて保持する、其の事を特長とした食器を容易に洗うための固定保持具。
【発明の詳細な説明】
【技術分野】
【０００１】  両手を使用する事無く、片手のみで、容易に食器を洗う事が出来易くした食器の固定保持具である。
【背景技術】
【０００２】  従来、左右一方の手が不自由な方の食器洗いは、シンク内にある洗い桶の中に使用後の食器を入れ、洗剤等を使用して洗っていた。
【発明の開示】
【発明が解決しようとする課題】
【０００３】    そのために、次の様な問題点があった
（イ）  洗い桶の中に食器を入れて、たわし等で片手で洗うと、手首の力の入れ具合で、食器が上下左右にぐらついたり倒れる事があり、きれいに洗う事出来なかった。
（ロ）  其の結果、洗う時間もかかりいらいらし、手首にも疲労感を持たせていた。
本発明は、以上の問題点を解決するためになされた、食器の固定保持具である。
【課題を解決する為の手段】
【０００４】（イ）  食器をロ−ラ−の付いた保持部材にのせ、ア−ムに設けた押さえ軸で食器を押さえて固定する。食器の種類によって生ずる押さえる位置の様々な変化に対応し、任意の位置で押さえ軸を固定する事が出来る。其の事を特長とした食器を容易に洗うための固定保持具。
（ロ）  コ−ヒ−カップ、ガラスコップ等の筒状態容器は、基台の上に設けた支柱３箇所に、滑り止めを施したばね状の金具を設け容器の外周部を押さえて保持する、其の事を特長とした食器を容易に洗うための固定保持具。
【発明の効果】
【０００５】本発明により、食器を容易に固定保持する事が出来る様になり、食器のぐらつき及び倒れ等も無くなり、片手が不自由な方でも容易に食器を洗う事が出来る。
【発明を実施するための最良の形態】
【０００６】    以下、本発明の実施形態について説明する。
（イ）  基台（１）の上面に、食器をのせるための台保持部材（２）を３箇所設ける。この部材（２）の上面に凹部を設けてロ−ラ−（４）を挟み込み装着する。このロ−ラ−は支点軸（５）を介して回転する事が出来る。その事によりロ−ラ−の片べりを防止し長持ちさせる。
（ロ）  基台（１）の横方向にア−ム（３）を設ける。このア−ムに食器を押さえるための押さえ板（６）と、押さえ板を上下に動かすためのツマミ（１０）、押さえ板を固定するためのハンドル（８）及びカラ−（９）を設けている。押さえ板の下部には食器を直接押さえるための押さえ軸（７）を設けている、この押さえ軸の先端には、食器と軸を密着させ、また滑りを防止するため硬質ゴムが貼り付けてある。
またハンドル（８）を緩め押さえ板（６）を動かした時、ボルト（１１）で取り付けられた皿バネ（１２）の圧力で、押さえ板を任意の位置で止める事が出来る。
（ハ）  図（１２）、図（１３）に示す様にコ−ヒ−カップ（Ａ）及びガラスコップ（Ｂ）等筒状態容器は、基台（１）上面の保持部材（２）に設けられた、ばね効果のある押さえ板（１３）で外周３箇所を押さえる。底部に滑り止め（１４）を設けている本発明は以上の構成から成るもので、以下、使用方法について説明する。
基台（１）に設けられた保持部材（２）の上に食器を乗せる。次にハンドル（８）を緩め、押さえ板（６）を下方向に移動する。押さえ板（６）先端の押さえ軸（７）が食器に接触したらハンドル（８）を回し押さえ板を固定する。其の事により食器が保持固定される。
食器が洗い終わったら、ハンドル（８）を緩め押さえ板（６）を上端迄移動し、ハンドルを回し固定する。
この様な動作によって、食器の着脱も洗う事も容易に出来る。
【図面の簡単な説明】
【０００７】
【図１】  本発明の正面図
【図２】  本発明の平面図
【図３】  Ｙ−Ｙ断面図
【図４】  Ｚ−Ｚ断面図
【図５】  正面図の一部を切り欠いた断面図
【図６】  本発明の側面図
【図７】  本発明の使用状態の一例を示す図
【図８】  本発明の使用状態の一例を示す図
【図９】  本発明の使用状態の一例を示す図
【図１０】  本発明の使用状態の一例を示す図
【図１１】  本発明の使用状態の一例を示す図
【図１２】  本発明の使用状態の一例を示す図
【図１３】  本器にコ−ヒ−カップを取り付けた一例を示す図
【図１４】  本器にガラスコップを取り付けた一例を示す図
【符号の説明】
【０００８】  １  基台
２  保持部材
３  ア−ム
４  ロ−ラ−
５  支点軸
６  押さえ板
７  押さえ軸
８  ハンドル
９  カラ−
１０  ツマミ
１１  ボルト
１２  皿バネ
１３  押さえ板
１４  滑り止め板
【図１】
2008229287.tif 000003
【図２】
2008229287.tif 000004
【図３】
2008229287.tif 000005
【図４】
2008229287.tif 000006
【図５】
2008229287.tif 000007
【図６】
2008229287.tif 000008
【図７】
2008229287.tif 000009
【図８】
2008229287.tif 000010
【図９】
2008229287.tif 000011
【図１０】
2008229287.tif 000012
【図１１】
2008229287.tif 000013
【図１２】
2008229287.tif 000014
【図１３】
2008229287.tif 000015
【図１４】
2008229287.tif 000016
(57)【要約】【課題】  四季の温度変化により、多種の掛け寝具を使い分ける為、未使用時の収納が大変であり、掛け寝具を重ねて使用する時のずれ問題も解決する事。【解決手段】  四季の温度変化により、多種の掛け寝具を揃える大変さを、中間に用いる寒気遮断素材を使用することで、３層重ね１組あれば組合わせ次第で四季の温度変化に対応でき、また両側面止め具により、掛け寝具を重ねて使用した時の、ずれ問題の課題を解決する。【選択図】図１
2008229286.tif 000002
【特許請求の範囲】
【請求項１】
３層重ね掛け寝具の中間に、寒気遮断素材を使用し、組合わせ方によって温度変化に対応し、両側面止め具により、ずれを防止する特徴を持った３層重ね掛け寝具。
【発明の詳細な説明】
【技術分野】
【０００１】  本発明は、寝具に関するものであり、寒気遮断素材を中間に使用することにより、体温を保つようにした物である。
【背景技術】
【０００２】  従来から、掛け寝具は多種利用されている。特許文献などの知識はない。
【発明の開示】
【発明が解決しようとする課題】
【０００３】  従来の掛け寝具は、季節の変化により多種を使い分ける為、収納が大変であり、重ねて使用した時のずれ問題も発生していた。本発明は掛け寝具を多種そろえる大変さを、解決する事を課題とする。
【課題を解決するための手段】
【０００４】  この課題を解決する為の請求項１の発明は、掛け寝具の中間に、寒気遮断素材を使用し、軽量化及び組合わせ次第で季節を問わず利用でき、重ねて使用の場合でも止め具により、ずれ問題を解決できる。
【発明の効果】
【０００５】  本発明により、多種の掛け寝具を必要とせず体温保持、及び収納スペースの削減問題、使用した時の掛け寝具のずれ問題を解決できる。
【発明を実施するための最良の形態】
【０００６】  保温性を高める為、中間に使用する寒気遮断素材が重要な役割を果たす。軟らかなゴム素材シート等を使用すれば良い。
【産業上の利用可能性】
【０００７】  本発明に係わる、掛け寝具は、工業的に量産する事が可能である為、産業上の利用可能性を有する。
【図面の簡単な説明】
【０００８】
【図１】  寝具の平面図である。
【符号の説明】
【０００９】  １      肌掛け寝具
２      寒気遮断素材
３      薄手掛け寝具
４      両側面止め具位置
【図１】
2008229286.tif 000003
(57)【要約】【課題】  デスクで仮眠をとる際、体勢に無理が生じたり、頭部を腕に乗せるためその重みにより、腕が痺れるという問題があった。【解決手段】  デスクで仮眠をとる際、今までと似た体勢で頭部の重みを両腕にかからないように両腕を収納できる筒状の物を枕として使えるものとする。【選択図】図１
2008229294.tif 000002
【特許請求の範囲】
【請求項１】
両腕を収納できる仮眠用枕
【発明の詳細な説明】
【技術分野】
【０００１】本発明はデスクで仮眠を取る際に腕を痺れなくする事を図った枕に関する
【発明が解決しようとする課題】
【０００２】本発明はデスクで仮眠を取る際、机上に置いた両腕の上に顔をうずめる体勢が長時間に及んだ時に生じる腕の痺れを解決するものである
【課題を解決するための手段】
【０００３】そもそもデスクで仮眠を取った時に腕が痺れるのは両腕の上に頭部を乗せるため、その重みが原因になっている。
本発明品は、その重みを腕にかからないようにする事に着目したものである。
【０００４】従来の枕を机上に置いて仮眠を取った場合、両腕に頭部を乗せる必要はなくなるが、両腕を不自然な位置に置くため、結果的に体に負担がかかってしまう。
【０００５】本発明品の筒状１の中に両腕を入れ、クッション部２に頭部を乗せると体勢にも無理が生じず、頭部の重みが両腕に負荷する事もないので仮眠中、仮眠後に腕が痺れる事はない。
【０００６】筒状本体１は中は空洞のため腕を入れる事ができる。
プラスチック製または木製で頭部の重みに耐える事ができる。
【０００７】クッション部２は筒状本体１に埋め込まれたクッションであり頭部や顔を乗せる事ができる。
【０００８】Ｂは簡単な固定台の役割を果たす
【図面の簡単な説明】
【０００９】
【図１】  本発明品を正面から見た外観図
【図２】  本発明品を横から見た外観図
【図１】
2008229294.tif 000003
【図２】
2008229294.tif 000004
(57)【要約】【課題】  女性の下着等を物干し具に干して屋外、室内で人目を気にしたり、盗難防止に気を使う為、下着等が見えにくくした物干し具カバーを提供する。【解決手段】  洗濯物物干し具の外枠の外周の長方形（１）状の両短辺（２，２‘）の端にオープンファスナーを縫い付け、長編の上部（３）は折り返して紐の通路を形成し紐を通して、物干し具（１０）の外枠（６）の上を覆うために、はずれないようにひもの長さ、巾（Ｌ）を決め両端を縫い付けて、台形（１’）状にする。物干し具に女性の下着等を干した後、物干し具の外枠（６）を台形状のカバーで覆い、被せ、ファスナーを上から下に閉め、縁の両端（４、４‘）を両面テープ（５，５’）でとめて下着等が見えにくく、盗難防止に役立つようにした洗濯物物干し具カバー。【選択図】図４
2008229299.tif 000002
【特許請求の範囲】
【請求項１】
円形状の外枠を有する物干し具に干す時、物干し具の外周の長さの長方形（１）の上部を折り返し紐の通路（３）を形成し、紐（３‘）を通して巾（Ｌ）は物干し具（１０）の外枠（６）より短く、紐（３‘）の長さを決め、両端は縫いとめ台形（１’）状にしたカバー本体と、そのカバー本体を紐の通路の両端に持ち出し（４、４‘）と両面テープ（５，５’）を縫い付け、開閉できるようにした台形状のカバーを物干し具の外枠の上に覆い被せるようにしたことを特徴とする洗濯物物干し具カバー。
【請求項２】
物干し具の長方形（１）の両短辺の端にオープンファスナー（２，２‘）を縫いつけ、開閉できるようにした請求項１に記載の洗濯物物干し具カバー。
【請求項３】
形状記憶合金のもの（１２）を使い形をととのえて開閉できるようにして、下部（１１）にはピアノ線を入れた請求項１に記載の洗濯物物干し具カバー。
【発明の詳細な説明】
【発明の詳細な説明】
【技術分野】
【０００１】  本発明は洗濯物物干し具（吊り下げハンガー）の円形状の外枠の上に台形状のカバーで覆い、被せた洗濯物物干し具カバーに関するものである。
【背景技術】
【０００２】  従来の洗濯物物干し具は洗濯物を干すものでしかなく、屋外、室内で女性の下着等を干す時、人目を気にしたり盗難防止にと苦慮していた。【０００３】  特許文献  特開２００５−３２９１８４
開示されている物干し具は物干し具にカーテンレール状の加工を施し、生地は半円形二枚で円形になるようにして接続部分は両面テープでとめ、とりつけ、外しができるカバー付き物干具とある。【０００４】  実開文献  実開平０６−０３１６９０
開示されている吊り下げ式ハンガーに円筒状のカバーで覆い上下を折り返して紐の通路を形成し、上下の通路には紐を通して別々に紐をしめるために、下着を取込む時には円筒状カバーの上か下の紐を緩めてカバーを外すとある。【０００５】  特許文献１
カーテンレール状のカバー付物干し具である。
実開文献１
円筒状のカバーを取り付けて上下を紐でしめるものである。【０００６】  このカバーは洗濯物物干し具に女性の下着等を物干し具に干した時、外枠の上に台形状のカバーで覆い被せて、オープンファスナー、持ち出しの両面テープの開閉で着脱が容易に出来る台形状の洗濯物物干し具カバーの違いである。
【発明が解決しようとする課題】
【０００７】従来の洗濯物物干し具は、洗濯物を干す物でしかなく、屋外、室内に下着を干す時人目を気にしたり盗難防止にと気を使いながら洗濯物干し具を使用しなければならなかった。
上記特開１，実開１には確かに下着等を見えなくするカバーをつけるとあります。
しかしカバーを取り付ける位置が違ったり、形の違いで取り付け、外す手間がかかる欠点があった。
【課題を解決するための手段】
【０００８】  本発明は洗濯後、物干し具に女性の下着等を干した時、下着等を見えにくくする為に、長方形の両短辺の端にオープンファスナーを縫い付け、長編の上部を折り返して紐の通路を形成し、紐を通して物干し具の外枠の上にのせ、はずれないように紐の長さをきめて両端を縫い付け、台形状にしたカバーで、物干し具に下着等を干した後、物干し具の外枠の上に台形状カバーの縁で覆い、被せ、ファスナーを閉め、持ち出しの両端を両面テープでとめるように構成したことを特徴とする。
【実施例】
【０００９】    洗濯後、物干し具に女性の下着等を干した後、見えにくくするために台形状のカバーで物干し具の外枠の上を覆い、被せてファスナーを上から下に閉め縁の両端を両面テープでとめる。下着等を取り込む時はカバーのファスナーを下から上にあげ、持ち出しの両端の両面テープをはずし、カバーを外してからとりこむ。
カバーの丈（Ｈ）は下着の長さより長くして中の下着等が見えにくくする。風の強い時には両面テープで物干し具の吊り下げ鎖を挟んでもよい。【０００９】  角形物干し具のカバーは外枠の外周の長さの巾の台形状のカバーを作成して物干し具の外枠の上に覆い、被せるとよい。【０００１０】  材質はメッシュ、レースで模様、刺繍入り等、下着等見えにくいものがよい。
カバーの下部はほつれないように縁をつけておく。
形状記憶合金のもので下部の縁にはピアノ線が入っているので風がふいても形が保てる。
【発明の効果】
【０００１１】  本発明は洗濯後、女性の下着等を物干し具に干した後、物干し具にカバーを覆い、被せるので見えにくく、盗難防止に役立つ物干し具カバーである。
このカバー内に干すことで日陰に干した状態なので色、柄物等色落ちしない。
下部にピアノ線が入っているので、形が保たれて、乾燥するのによい。
カバーの取り付け、外しは簡単である。
カバーの洗濯は外した時に出来る。
【図面の簡単な説明】
【図１】請求項１の平面図
【図２】請求項２の平面図
【図３】請求項３の斜視図
【図４】請求項２の斜視図
【図５】図４の切断図
【符号の説明】
１、      カバー（最初は長方形）
１‘      カバー（台形）
２、２‘  オープンファスナー
３、      縁（折り返し部分で紐の通路）
３‘      縁（ひもの長さをきめた状態）
４、４‘  持ち出し
５，５‘  両面テープ
６、      外枠
７、      吊り下げくさり
８、      ピンチ
９、      下着
１０、      物干し具
１１、      下部（ピアノ線入り）
１２、      形状記憶合金のもの
Ｌ、      縁の巾
Ｈ，      カバーの丈
ａ，ａ‘  切断
【図１】
2008229299.tif 000003
【図２】
2008229299.tif 000004
【図３】
2008229299.tif 000005
【図４】
2008229299.tif 000006
【図５】
2008229299.tif 000007
(57)【要約】      （修正有）【課題】ステレオサウンドスピーカやライト照明や望遠鏡を付帯し、ステップすると充電する機能を持たせるとともに、香る効果のある履物と手袋を提供をすること。【解決手段】履物の上部に充電部位２を設け、やわらかく、防水、耐震、耐火、脱着可能であるステレオサウンドスピーカー３を左右両側に設けるとともに、ステップすると香りがする充電敷底部を設ける。手袋にステレオサウンドスピーカーを設けるとともに、擦ると香りがする充電部を設ける。【選択図】図１
2008229291.tif 000002
【特許請求の範囲】
【請求項１】
履物に最新のライト照明と香る効果を設け、ステップすると充電する部位と望遠鏡、顕微鏡、携帯や音源機の充電として付帯する部位を履物に脱着可能に設け、ステレオサウンドスピーカーを履物の両側に構成したものである。手袋に摩擦で香り、ライトアップ効果もある構成である。
【発明の詳細な説明】
【技術分野】
【０００１】  本考案は、ステレオサウンドスピーカーを履物に構成，ステップやジャンプ充電を設け香る充電部位とする、望遠鏡と顕微鏡、そしてライト照明を効果的に構成することで、持ち運びも便利な技術を提案する履物として楽しめるものである。
【背景技術】
【０００２】従来のステレオサウンドスピーカーと充電部は履物になかった。望遠鏡と顕微鏡なども履物とは別々が通常になっていた。香りが楽しめる充電はなかった。（例えば、［実用文献１］１００００−Ｄ参照。［意匠文献１］１００００−Ｅ）
【発明の開示】
【発明が解決しようとする課題】
【０００３】従来の履物にステレオサウンドスピーカーは装着されていなかった。そのため旅先などに小型ステレオスピーカーを持参した。ステレオサウンドスピーカー、携帯、ｉｐｏｔ、ライト照明など充電は明かりがないと出来なかったりした。本考案は、以上のような欠点をなくすためになされたものである。
【課題を解決するための手段】
【０００４】
【発明の効果】
【０００５】ステレオサウンドスピーカーと履物が一体になっているので、ステレオサウンドスピーカーが必要になったとき、靴を履いた状態でも、脱いでいても、履物で充電するスピーカーとして、履物の回転運動で充電するステップすると香るバッテリーを利用することで、履物のステップジャンプ運動や叩いて充電することが可能になると、歩行やジャンプステップ、マラソンする履物の充電部位より行う。また手袋と手袋で摩擦で香る回転運動充電、打楽器のように充電する構成を設け、携帯など音源機を装着充電使用を応用すると歩行やマラソン、スポーツ、ダンスなどでも履物から充電して使用できる。また履物にライトを構成することで、ライト照明発電機やカラフルなライトアップレジャー効果も楽しめる。そして、防水、やわらかく、しなやかな素材とバネのような耐強である構成を施す。望遠鏡、顕微鏡などを履物に施す応用することで散歩やマラソン、ピクニックなどを楽しむ効果もアップさせる。
【発明を実施するための最良な形態】
【０００６】以下、本考案を実施するための最良な形態について説明すると、履物（１）の上部の充電部位（２）、やわらかく、防水、耐震、耐火、脱着可能である左右のステレオサウンドスピーカー（３）、ステップする香りがする充電敷底部（４）、によりこれを使用するときは、普通に履物として装着する。参考文献（意匠登録願１００００−Ｄ）手袋のステレオサウンドスピーカー（５）、擦る香りがする、充電部（６）本考案は以上のような構造である。
【図面の簡単な説明】
【０００７】
【図１】  本発明の左右に対称サウンドスピーカー部位を施した履物の参考図である。
【図２】  本考案のステップで香る充電部位と望遠鏡を履物に表した参考図である。
【図３】  本考案の音源機充電の参考図である。
【図４】  本考案の香る充電部位とめがねを施した手袋の参考図である。
【符号の説明】
【０００８】１  履物上部の音源機を脱着して充電する部。
２  スピーカーを左右に設けた履物部。
３  履物敷底のステップジャンプで香る充電部。
４  手袋の摩擦や打楽器のように充電部。
５  ライト照明部位。
【図１】
2008229291.tif 000003
【図２】
2008229291.tif 000004
【図３】
2008229291.tif 000005
【図４】
2008229291.tif 000006
【手続補正書】
【提出日】平成19年3月25日(2007.3.25)
【手続補正１】
【補正対象書類名】明細書
【補正の内容】
2008229291.tif 000007
【手続補正書】
【提出日】平成19年6月14日(2007.6.14)
【手続補正１】
【補正対象書類名】手続補正書
【補正対象項目名】手続補正１
【補正方法】変更
【補正の内容】
【手続補正１】
【補正対象書類名】明細書
【補正対象項目名】０００８
【補正方法】変更
【補正の内容】
【０００８】１  履物上部の充電用着脱部位実施参考例の位置
２  スピーカーを左右に設けた脱着部分の参考例
３  履物の敷底からステップジャンプで香るマイナスイオン空気清浄効果流通部位
４  手袋の摩擦や打楽器使用時のように充電する参考例
５Ａ  ライトアップ照明部
５Ｂ  ライトアップ照明部
６  鉛筆、望遠鏡、温度計、水や空気の濾過パイプの脱着補助着脱部位置参考例
７  ＩＣ録音機能


【手続補正２】
【補正対象書類名】手続補正書
【補正対象項目名】手続補正２
【補正方法】変更
【補正の内容】
【手続補正２】
【補正対象書類名】図面
【補正対象項目名】図５
【補正方法】追加
【補正の内容】
【図５】
2008229291.tif 000008
(57)【要約】【課題】巻き貝の身を容易に能率良く取り出すための用具を提供する。【解決手段】細長板体よりなる本体の一端を所定角度範囲内にて湾曲状に折曲させるとともに、この折曲部中央を切除した二股部分よりなる挿入部を形成したことを特徴とする。【選択図】図５
2008229292.tif 000002
【特許請求の範囲】
【請求項１】
細長板体よりなる本体の一端を所定角度範囲内にて湾曲状に折曲させるとともに、この折曲部中央を切除した二股部分よりなる挿入部を形成したことを特徴とする巻き貝の身取り出し具。
【請求項２】
所定角度範囲を５０度から７０度としてなる請求項１記載の巻き貝の身取り出し具。
【発明の詳細な説明】
【技術分野】
【０００１】  この発明は、巻き貝の身を容易に取り出すための用具に関する。
【背景技術】
【０００２】  従来より、巻き貝の身を取り出す手段としては、爪楊枝や竹串が利用されており、本発明にて示すように、その先端を所定角度に折曲したフォーク状の専用用具は見あたらない。
【発明の開示】
【発明が解決しようとする課題】
【０００３】  巻き貝は古くから食用に供され、サザエなどは刺身として生で食されることも多いが、一般的には煮たり焼いたりして食される。加熱処理後に身を殻から取り出して食するが、巻き貝は螺旋状の殻であるために取り出すにはコツが必要である。
一般的には爪楊枝や竹串の先を、殻の入り口近傍に位置する貝肉上端の蓋（硬質板状体）と殻内壁との隙間より差し込み、貝肉に突き入れてテコの原理にて竹串等の先端を上方に移動させるとともに、貝殻を巻き方向と逆に回しながら身を取り出す方法が用いられている。しかしながら、この作業には熟練によるコツが必要であり、失敗することも多い。
巻き貝を加熱すると、貝肉は縮みながら奥に引っ込んでしまう。そのため、既述の手段が用いられるが、爪楊枝や竹串は先鋭な細棒体であり、突き入れる位置や方向が重要であり、これが適切でなければうまく取り出すことは難しい。
また、竹串などでは時にはその弾力にて作業中に竹串に若干の湾曲が発生し、取り出しにくくなる。取り出すことに失敗すると、貝肉はその途中からちぎれてしまい、殻内に残った肉の摘出はほぼ不可能になる。
本発明は、以上のような従来からの巻き貝の身取り出し手段に関わる課題を解決するために発明されたもので、誰でも容易に巻き貝の身を取り出すことのできる、新規かつ有用なる用具を提供することを目的として開発されたものである。
【課題を解決するための手段】
【０００４】  課題を解決する手段として本発明は以下の構成とした。
すなわち、細長板体よりなる本体の一端を所定角度範囲内にて湾曲状に折曲させるとともに、この折曲部中央を切除した二股部分よりなる挿入部を形成する。
本発明は以上の構成よりなる巻き貝の身取り出し具である。
【発明の効果】
【０００５】  本発明によれば、板体端を先鋭な二股状に形成するとともに、本体に対し所定角度にて湾曲状に折曲したために、巻き貝の身への挿入角度が深くなり、従来から用いられていた爪楊枝や竹串を使用する手段に比べて、実を取り出しやすく、二股状のために身に対する安定挿入が可能となって、特別な熟練がなくても容易に巻き貝の身を取り出すことのできる有用なる用具を得ることができる。また、実施形態にて示したように指当て部を設けることによって、指に用具がなじんでさらに使いやすくなる。
【発明を実施するための最良の形態】
【０００６】  以下、本発明の実施形態について説明する。
図において、１は取り出し具の本体部分であり、金属製細板体である。２は挿入部で、本体の一端を所定角度にて湾曲状に折曲した部分であり、端部から一定距離まで中央を切除した切除部３を有して二股状に形成され、この二股部端は先鋭に形成される。
４は指当て部で、本体他端を挿入部と反対方向に適宜に湾曲させた部分であり、本体部よりやや幅広の部分である。
本発明は以上の構成からなり、次に使用法について説明する。
まず、巻き貝を加熱処理した後に図５に示すように挿入部を貝肉に突き入れる。
この挿入時においては、まず挿入部を貝殻入り口とほぼ並行にして本体を徐々に回転させるようにしながら挿入部を貝殻と蓋との間隙より挿入し、貝肉に突き入れる。
挿入が終わった後に本体をさらに回転させると本体の一部は貝殻入り口の内面に接して、ここを支点としてテコの原理にて挿入部は貝肉とともに上方へ移動を始める。
これとともに、他方の手に持った貝殻を巻き方向とは逆の方向へ回す。
これによって貝肉がちぎれることなくスムースに外へと取り出すことができる。
図４は従来法の使用説明であるが、本発明のような湾曲部分がないため、直線的に差し込むこととなり、挿入角度も浅い。また、二股部分がなく一点支持状態である。
そのために貝肉を上方へ持ち上げる力に乏しく、突き入れる位置や方向が不適切であると取り出す途中で貝肉がちぎれてしまう。また、既述のように一点支持のために竹串等に対する貝肉の位置安定が得にくく、木材や竹などにて制作されることが多いため、加力による弾性変形が起こりがちで作業性に乏しくなる。【０００７】  これに比べて本発明では二股状の挿入部を有するので、貝肉に対する安定保持が得られ、また湾曲した折曲部を有するので貝肉に対する挿入角度が深くなり、貝肉を上方へ持ち上げるための力を十分に伝えることができる。
本例では金属にて制作しており、加力による変形もなく、スムースに貝肉を取り出すことができる。なお、挿入部の折曲角度が重要で、適切な角度範囲を選択することが必要である。この角度とは図３に示すように、本体の中心方向と挿入部端中心間の角度ａのことであり、実験の結果、６０度程度が良好であることが判明した。
現実的には５０度から７０度の範囲であれば問題なく使用できるが、許容範囲としては４５度から７５度の範囲である。角度が大きすぎると貝肉への挿入が難しくなり、小さすぎると貝肉を上方へ持ち上げにくくなる。本例では図に示すごとく、指当て部を設けた。これにより、作業者の指にこの指当て部が接触して本体の安定度を増すこととなり、さらに使いよいものとなった。なお、本例では金属にて制作したが、合成樹脂等にて製作してもよく、指当て部の形状は任意に設けることができる。また、挿入部表面にサンドブラストその他の手段にて微細な凹凸を形成すると、貝肉への挿入時において挿入部と貝肉との摩擦力が向上して取り出しがより容易となる。
以上説明したように、本発明にて巻き貝の身を容易に能率良く取り出すための用具を提供することができる。
【図面の簡単な説明】
【０００８】
【図１】  本発明の平面図
【図２】  本発明の正面図
【図３】  本発明の角度範囲説明図
【図４】  従来例の使用説明図
【図５】  本発明の使用説明図
【符号の説明】
【０００９】  １  本体
２  挿入部
３  切除部
４  指当て部
５  貝肉
６  蓋
７  貝殻
【図１】
2008229292.tif 000003
【図２】
2008229292.tif 000004
【図３】
2008229292.tif 000005
【図４】
2008229292.tif 000006
【図５】
2008229292.tif 000007
(57)【要約】      （修正有）【課題】雨天時等の外出は傘を差していても靴およびズボン裾が濡れたり汚れたりして後の処置が大変である。これらを解決するため、靴を履いたまま履く防水カバーで、靴サイズに関係無く、しかも左右の区別無くどちらの足にでも履ける防水カバーを提供する。【解決手段】上記課題解決のため、靴を履いたまま足を入れる袋１と、ズボンのベルト３等に結んで固定する吊りバンド２が一体となった防水カバーで、その吊りバンド２が両サイドに付いていることから左右の脚どちらでも履ける。また、大人が履くほとんどの靴に対応出来るように袋の先端部分を斜めに切り落とし、踵のくる所を曲線にした形状と構造でフリーサイズ機能を持たせた。【選択図】図１
2008229293.tif 000002
【特許請求の範囲】
【請求項１】
靴を履いたまま足を差し込む長足の袋部分（１）と、使用中ずり落ちないようズボンのベルト等に結んで固定する吊りバンド（２）とが一体となった防水カバーで、その袋の先端は斜めに切り落とした形状をなしフリーサイズ機能を有し、靴の大きさに関係なく靴のまま履ける事を特徴とした左右兼用で靴のまま履けるフリーサイズの長足防水カバー。
【請求項２】
「請求項１」の吊りバンド（２）は、足を差し込む袋（１）の口の両サイドに付け、左右どちらの脚にでも使用可能な事を特徴とした左右兼用で靴のまま履けるフリーサイズの長足防水カバー。
【発明の詳細な説明】
【技術分野】
【０００１】  本発明は、雨天時に靴やズボンの裾等が濡れないように靴の上から履くと共に、靴の大きさに関係なく、しかも左右どちらでも履ける長足の防水カバーに関する技術である。
【背景技術】
【０００２】  従来、雨天時の足元防水対策技術としては雨靴を履くのが一般的である。また、本発明に先行した足元防水に関する技術として、足元カバー、防水カバー等があり、それらは一定サイズの靴を履く人が使用するには問題なかった。【０００３】  しかし、使う人の靴の大きさ及び脚の長さは様々であり、それらの人に合うような防水カバーとしては難点があった。【０００４】  更に、袋がずり落ちないように固定する装置のある防水カバーのうち、例えば吊りバンドが右側に付いていれば右脚用で、左側に付いていれば左脚用であり、それぞれ専用である為、間違って履いた場合は再度履き代える必要があった。【０００５】
【特許文献１】先行する技術として  特開  ２００４−１６０１２２広報  特開  ２００４−１５８１１８広報  特開  ２００４−２７５６５６広報
【発明の開示】
【発明が解決しようとする課題】
【０００６】  解決しようとする問題点は、靴のサイズに関係なく履け、左右どちらでも履ける点である。
【課題を解決する為の課題】
【０００７】  本発明は、袋部の先端を斜めに曲線で切り取りフリーサイズ機能を持たせることと、袋を止める吊りバンドを両サイドに設け左右兼用にする事を課題とした。
【発明の効果】
【０００８】  本発明の長足防水カバーは成人用の靴にほとんど適応し、左右どちらでも使用できるという利点が有る。
【発明を実施するための最良の形態】
【０００９】  袋部の先端を斜めに曲線で切り落とす事でフリーサイズ機能になると共に、両サイドに保持用吊りバンドを付ける事で左右兼用が実現した。
【実施例１】
【００１０】  発明の実施形態を図面に基づいて説明する。
図１は本発明装置の主要な部分である袋（１）の中に、靴を履いたまま脚を突っ込んでいる様子であり、吊りバンド（２）をズボンのベルト（３）に結び、袋（１）が落ちないように固定し、装着完了時の様子を表した概略図である。
尚、ズボンのベルトをしていない場合はそのベルト通しに結んでも良い。【００１１】  図では、片足のみ描いてあるが、左右の脚に同様に履き、それぞれ、袋がずり落ちないようにズボンのベルト等に括り付けて固定する。【００１２】  袋の長さは長身の人でも使用できる長さとする。【００１３】  背の低い人は、袋部分を短くして使用する必要があるが、その短くする方法として、ベルトにくくり付ける吊りバンドの反対側の吊りバンドを、その人の脚の付け根の位置で太ももを一周して結び、輪を作り、その輪の中に反対側の吊りバンドを通してズボンのバンドに括り付ければ袋の長さがその人の脚の長さになる。【００１４】  本発明の特徴を表す構造は、袋の先端部分を斜めに切り落とし、踵がくる部分は曲線とし、襠（マチ）に相当する部分を設ける事でフリーサイズ機能が備わり、靴の大小に柔軟に対応できる。【００１５】  本発明品の製品素材としては、液体を弾き、軽量で取り扱いが容易な素材、例えば、ナイロン、ポリエチレン等の合成繊維で製造するが、用途によっては防水加工を施した布製又は紙製でもよい。【００１６】  尚、ナイロン、ポリエチレン等の合成繊維素材で製造するときは、その素材の表面に滑り止め機能を有する加工を施すことが望ましい。【００１７】  この発明品を使い捨てタイプとして製造するときは、その素材は、特に環境に配慮した素材が望ましい。【００１８】  図では、結び目を誇張して描いてあるが、使用に当たっては、結び目を小さくしズボンの中に入れれば目立たない。【００１９】  左右に付いている吊りバンドは、片方をズボンのベルトに括り付け、残りの吊りバンドは動くとき邪魔にならないよう袋の中にしまって使用する。【００２０】  この実施例では吊りバンドが左右それぞれ２本ずつになっているが、必ずしも２本を必要とせず、左右１本ずつでもよい。【００２１】  尚、吊りバンドの長さは、長身の人が本体の防水カバーを履いて、ズボンのベルトに挟んで余裕を持って結ぶ事が出きる長さとする。【００２２】  図２は本発明品の概略図である。袋（１）と吊りバンド（２）が一体化していて、袋の先端は斜めに切り落とした形状になっている。その袋の先端（５）の細い方に靴先が来て、フリーサイズ部（４）に踵がくるように履く。【００２３】  履いて滑らないようにする為、靴底に当たる部分に滑り予防用の穴（６）を開けて有るが、素材によってはこれを施さなくても良い。【００２４】  尚、滑り防止に万全を期す場合は、滑り止めになる物を貼り付ける等の対策を取ることが望ましい。
【産業状の利用可能性】
【００２５】  本発明は、安価に製造可能であり、使い捨て製品として利用できることから、日常生活で使用する靴やズボンの防水カバーとしての他、家庭での日曜大工用防塵カバー、悪天候時のゴルフ用靴の防水カバーとして使用できる。
【００２６】  更には、医療現場、製造工場、建設現場等の防塵カバー、野外作業、塗料、油類、汚水、泥水等を取り扱う現場等の防水カバー等として利用できる。
【図面の簡単な説明】
【００２７】
【図１】  本発明品を装着した一例の側面概略図である。
【図２】  本発明品の全体像を斜め上から見た概略図である。
【符号の説明】
【００２８】  １  袋
２  吊りバンド
３  ズボンのベルト
４  フリーサイズ部分
５  つま先部分
６  滑り予防用穴
【図１】
2008229293.tif 000003
【図２】
2008229293.tif 000004